(57)【要約】【課題】非接触型ＩＣラベルに対する電磁波を遮断して、その不正使用を防止し、安全、確実な使用を保証する電磁シールドフィルムを提供する。【解決手段】電磁シールドフィルムである金属箔フィルム１は、アルミニウム等の金属、パーマロイ等の合金、フェライト等をフィルム状に形成したり、これら金属等をポリエチレンフィルム、ポリエチレンテレフタレートフィルムなどに蒸着、スパッタリング、貼着等して形成し、その裏面には、接着力が弱く、接着後に剥離可能で、かつ剥離後には再接着可能であって、繰り返し再接着、再剥離が可能な、弱粘着性の接着剤２を塗布したものであり、非接触型ＩＣラベル１３の表面全体を被覆するように接着して使用するもので、媒体１４の非接触型ＩＣラベル１３接着面と反対面側の非接触型ＩＣラベル１３対応部分にも同様に、金属箔フィルム１を接着するとより好適である。【選択図】      図３
2004311730.tif 000002
【特許請求の範囲】
【請求項１】
非接触で電磁波による情報の授受を行うＩＣチップ、ＩＣアンテナを有するＩＣユニットを設けてなる非接触型ＩＣラベルに対する外部からの電磁波を遮断する電磁シールドフィルムであって、裏面には、接着後に剥離可能な接着剤を設けてなることを特徴とする非接触型ＩＣラベル用電磁シールドフィルム。
【請求項２】
裏面の接着剤は、接着後に剥離可能で、かつ剥離後に再接着可能であって、再接着と再剥離が繰り返し可能であることを特徴とする請求項１記載の非接触型ＩＣラベル用電磁シールドフィルム。
【発明の詳細な説明】
【０００１】
【発明の属する技術分野】
本発明は、商品管理等のために各種商品や帳票等の媒体に貼付した非接触型ＩＣラベルに対する外部からの電磁波を遮断するための電磁シールドフィルムに関する。
【０００２】
【従来の技術】
従来から、非接触型ＩＣカードの保管中や移送中に、外部からの電磁波でＩＣカードに書き込まれた情報を読み取られたり、改ざんされることを防ぐために、前記電磁波を遮断するための電磁シールド部材を用いた非接触型ＩＣカードの収納体は知られている（例えば、特許文献１，２参照）。
【０００３】
【特許文献１】
特開平１１−４５３１６号公報
【特許文献２】
特開平１１−３４８４７１号公報
【０００４】
【発明が解決しようとする課題】
ところが、これら従来の収納体は非接触型ＩＣカード用としてケース状や冊子状に構成されているので、非接触型ＩＣラベルに適用するには、使い勝手が悪いという不都合がある。このため、非接触型ＩＣラベルに適した電磁シールド部材の開発が要望されている。本発明はこの要望に応えるべく開発したフィルム状の非接触型ＩＣラベル用電磁シールド部材に係る。
【０００５】
【課題を解決するための手段】
本発明の請求項１に記載した非接触型ＩＣラベル用電磁シールドフィルムは、非接触で電磁波による情報の授受を行うＩＣチップ、ＩＣアンテナを有するＩＣユニットを設けてなるＩＣラベルに対する外部からの電磁波を遮断する電磁シールドフィルムであって、裏面には、接着後に剥離可能な接着剤を設けてなることを特徴とする。
【０００６】
また、上述の非接触型ＩＣラベル用電磁シールドフィルムの構成において、電磁シールドフィルムの裏面に設ける接着剤を、接着後に剥離可能で、かつ剥離後に再接着可能であって、再接着と再剥離が繰り返し可能に構成すると、同一の電磁シールドフィルムを何回も使用できて好適である。
【０００７】
【発明の実施形態】
以下、本発明の好適な実施形態を添付図面に基づき詳細に説明する。ここにおいて、図１は電磁シールドフィルムたる金属箔フィルムの概略的な断面図、図２は非接触型ＩＣラベルを媒体に接着した状態の概略的な断面図、図３は金属箔フィルムを非接触型ＩＣラベルの表面側と媒体の裏面側に接着した状態の概略的な断面図である。
【０００８】
図１に示すように、電磁シールドフィルムたる金属箔フィルム１は、アルミニウム、銅、鉄などの金属、パーマロイ等の合金、フェライト等をフィルム状に形成したり、前記金属等をポリエチレンフィルム、ポリエチレンテレフタレートフィルムなどに蒸着、スパッタリング、貼着等して形成することができる。また、金属箔フィルム１に換えて、繊維状プラスチックに金属繊維を混合したものをフィルム状に圧縮して形成した電磁シールドフィルムを使用することもできる。
【０００９】
金属箔フィルム１の裏面には、接着力が弱く、接着後に剥離可能で、かつ剥離後には再接着可能であって、繰り返し再接着、再剥離が可能な接着剤２を塗布している。この接着剤２としては、公知のこの種接着剤の中から選択して使用することができるが、例えば、弱粘着性で繰り返し再接着、再剥離が可能な接着剤を挙げることができる。
【００１０】
図２に示すように、非接触型ＩＣラベル１３は、その表面側に非接触で電磁波による情報の授受を行うＩＣチップ、ＩＣアンテナを有するＩＣユニット（いずれも図示せず）を設けたラベル基材１１を有し、このラベル基材１１の裏面側には通常の粘着力を有し、一旦接着すると剥離困難な強粘着性の接着剤１２を設けている。そして、この接着剤１２によって管理対象となる帳票や各種商品等の所望の媒体１４の適所に接着している。
【００１１】
上述した図２状態の非接触型ＩＣラベル１３のＩＣユニットへの電磁波の影響を遮断するには、この非接触型ＩＣラベル１３を、上述した金属箔フィルム１によって直接的、あるいは間接的に被覆すればよいものである。すなわち、図３に示すように、前記非接触型ＩＣラベル１３の表面全体を被覆するように金属箔フィルム１を裏面の接着剤２で接着し、媒体１４の前記非接触型ＩＣラベル１３接着面と反対面側の前記非接触型ＩＣラベル１３対応部分にも同様に、金属箔フィルム１を裏面の接着剤２で接着する。なお、図示のように、前記金属箔フィルム１は、前記非接触型ＩＣラベル１３よりも一回り大きいものを使用すると、電磁波をより確実に遮断できる。
【００１２】
このように、２枚の金属箔フィルム１によって表裏面側を直接的、あるいは間接的に被覆された非接触型ＩＣラベル１３は、そのＩＣチップやアンテナ線を有するＩＣユニットへの電磁波の影響を遮断できるので、前記非接触型ＩＣラベル１３に記録したデータの改ざん等の不正使用を防止できる。そして、２枚の金属箔フィルム１を剥離すれば、非接触型ＩＣラベル１３のＩＣユニットで電磁波を利用した情報の授受を行うことができる。
【００１３】
なお、本発明は上述した実施形態に限定されるものではなく、例えば、金属箔フィルム１による非接触型ＩＣラベル１３の被覆は、媒体１４の構造や材質によっては、非接触型ＩＣラベル１３の表面側のみでもよい。また、接着剤２として、剥離後に再接着可能で、繰り返し再接着、再剥離が可能なものを使用すれば、同一の金属箔フィルム１を繰り返し使用できるという利点があるが、これに換えて剥離後には再接着不可能な接着剤を使用してもよいものである。
【００１４】
【発明の効果】
以上説明したところで明らかなように、本発明の請求項１に係る電磁シールドフィルムによれば、非接触型ＩＣラベルに記録したデータの改ざん等の不正使用を防止し、非接触型ＩＣラベルの安全かつ確実な使用を保証できるという効果を奏する。また、本発明の請求項２に係る電磁シールドフィルムによれば、前記効果に加えて、同一の電磁シールドフィルムを何回も繰り返し使用できるという効果を奏する。
【図面の簡単な説明】
【図１】金属箔フィルムの概略的な断面図。
【図２】非接触型ＩＣラベルを媒体に接着した状態の概略的な断面図。
【図３】金属箔フィルムを非接触型ＩＣラベルの表面側と媒体の裏面側に接着した状態の概略的な断面図。
【符号の説明】
１      金属箔フィルム
２      接着剤
１１      ラベル基材
１２      接着剤
１３      非接触型ＩＣラベル
１４      媒体
【図１】
2004311730.tif 000003
【図２】
2004311730.tif 000004
【図３】
2004311730.tif 000005